(57)【要約】【課題】ハードウエア構成が簡易でコストがかからない電気設備の検査装置を提供する。【解決手段】本発明に係る検査装置３００は、三相の高圧側端子を有し、これらの高圧側端子から三相の高圧が入力されると共に、三相の低圧側端子を有し、これらの低圧側端子から三相の低圧が出力される電気設備を検査する検査装置３００であって、星形結線されてなる三相のうちの第１相に相順が正しい時に発光する正順時点灯発光ダイオード３２１と、前記星形結線されてなる三相のうちの第１相と異なる第２相に相順が逆転している時に発光する逆順時点灯発光ダイオード３２２と、を含む相順検出回路部３２０を有することを特徴とする。【選択図】      図３
2015021893.tif 000002
【特許請求の範囲】
【請求項１】
三相の高圧側端子を有し、これらの高圧側端子から三相の高圧が入力されると共に、三相の低圧側端子を有し、これらの低圧側端子から三相の低圧が出力される電気設備を検査する検査装置であって、
星形結線されてなる三相のうちの第１相に相順が正しい時に発光する正順時点灯発光ダイオードと、
前記星形結線されてなる三相のうちの第１相と異なる第２相に相順が逆転している時に発光する逆順時点灯発光ダイオードと、を含む相順検出回路部を有することを特徴とする検査装置。
【請求項２】
前記相順検出回路部は、前記星形結線されてなる三相のうちの第１相及び第２相と異なる第３相にコンデンサが設けられることを特徴とする請求項１に記載の検査装置。
【請求項３】
前記正順時点灯発光ダイオードは、第１相において、正順部分流用抵抗と正順部分圧用抵抗と共に接続されることを特徴とする請求項１又は請求項２に記載の検査装置。
【請求項４】
前記逆順時点灯発光ダイオードは、第２相において、逆順部分流用抵抗と逆順部分圧用抵抗と共に接続されることを特徴とする請求項１乃至請求項３のいずれか１項に記載の検査装置。
【請求項５】
星形結線されてなる三相のうちの第１相に設けられる第１発光ダイオードと、
第１相と異なる第２相に設けられる第２発光ダイオードと、
第１相及び第２相と異なる第３相に設けられる第３発光ダイオードと、を含む欠相・短絡検出回路部を有することを特徴とする請求項１乃至請求項４のいずれか１項に記載の検査装置。
【請求項６】
前記第１発光ダイオードは、第１相において、第１分流用抵抗と第１分圧用抵抗と共に接続されることを特徴とする請求項５に記載の検査装置。
【請求項７】
前記第２発光ダイオードは、第２相において、第２分流用抵抗と第２分圧用抵抗と共に接続されることを特徴とする請求項５又は請求項６に記載の検査装置。
【請求項８】
前記第３発光ダイオードは、第３相において、第３分流用抵抗と第３分圧用抵抗と共に接続されることを特徴とする請求項５乃至請求項７のいずれか１項に記載の検査装置。
【請求項９】
電気設備からの出力を前記相順検出回路部に接続するか、前記欠相・短絡検出回路部に接続するかを切り換えるスイッチを有することを特徴とする請求項５乃至請求項８のいずれか１項に記載の検査装置。
【請求項１０】
単相交流が入力され、受動素子のみからなり、電気設備の三相の高圧側端子のそれぞれに印加される低圧の三相交流を出力し、請求項１乃至請求項９のいずれか１項に記載の検査装置と共に用いられる電源変換装置。
【請求項１１】
前記単相交流としては、商用の１００Ｖが用いられることを特徴とする請求項１０に記載の電源変換装置。
【請求項１２】
前記単相交流としては、可搬形発電機の１００Ｖ出力が用いられることを特徴とする請求項１０に記載の電源変換装置。
【発明の詳細な説明】
【技術分野】
【０００１】
本発明は、電気設備で相順が正しく配線されているかなどを検査する検査装置及びこの検査装置と共に利用される電源変換装置に関する。
【背景技術】
【０００２】
ビルディングなどの新規施工後、或いは、リニューアル工事後において、設置された電気設備が想定通り配線されているか否かに係る検査を行い、この検査により配線が正しく成されていることを確認後に、実際の通電を行うことが好ましい。
【０００３】
上記のような電気設備には、６６００Ｖの高圧の三相交流を、２１０Ｖの低圧三相交流に変換するトランスなどが含まれており、上記のような検査では、高圧側におけるＲ相、Ｓ相、Ｔ相が、それぞれ低圧側でＲ相、Ｓ相、Ｔ相に対応するように配線がなされているかを行う。このような検査を行うために利用されるものとして、検相器と呼ばれる検査装置が知られている。
【０００４】
例えば、非特許文献１には、インバーターによって発生させた２００Ｖの三相交流を、電気設備の高圧側に印加し、低圧側の出力を検相器に入力し、この検相器によって、Ｒ相、Ｓ相、Ｔ相の相順が正しいかを検査する検査装置が開示されている。
【非特許文献１】猪俣洋、山本善博「停電時間を短縮できるＬＬ（低電圧回路）チェッカーの機能と使い方」電気と工事、２０１１年２月号、ｐ．１１２−ｐ．１１６
【発明の概要】
【発明が解決しようとする課題】
【０００５】
非特許文献１に開示されている検相器は、内蔵されるアラゴの円盤の回転方向に基づいて、Ｒ相、Ｓ相、Ｔ相の相順が正順か逆順かを検出するものであり、ハードウエアとしての構成が複雑で高価であり、コストがかかる、という問題があった。
【０００６】
そこで、本発明では上記のようなアラゴの円盤の原理を利用しない検査装置を採用するものであるが、電気設備の高圧側に印加する低圧の三相交流をインバーターで発生させると、本発明の検査装置では、検査を確度高く行うことができない、という新たな問題が発生した。これは、インバーターで発生させた低圧の三相交流が、擬似的なサイン波の交流であることに起因することが判明した。
【課題を解決するための手段】
【０００７】
このような課題を解決するために、請求項１に係る発明は、三相の高圧側端子を有し、これらの高圧側端子から三相の高圧が入力されると共に、三相の低圧側端子を有し、これらの低圧側端子から三相の低圧が出力される電気設備を検査する検査装置であって、星形結線されてなる三相のうちの第１相に相順が正しい時に発光する正順時点灯発光ダイオードと、前記星形結線されてなる三相のうちの第１相と異なる第２相に相順が逆転している時に発光する逆順時点灯発光ダイオードと、を含む相順検出回路部を有することを特徴とする。
【０００８】
また、請求項２に係る発明は、請求項１に記載の検査装置において、前記相順検出回路部は、前記星形結線されてなる三相のうちの第１相及び第２相と異なる第３相にコンデンサが設けられることを特徴とする。
【０００９】
また、請求項３に係る発明は、請求項１又は請求項２に記載の検査装置において、前記
正順時点灯発光ダイオードは、第１相において、正順部分流用抵抗と正順部分圧用抵抗と共に接続されることを特徴とする。
【００１０】
また、請求項４に係る発明は、請求項１乃至請求項３のいずれか１項に記載の検査装置において、前記逆順時点灯発光ダイオードは、第２相において、逆順部分流用抵抗と逆順部分圧用抵抗と共に接続されることを特徴とする。
【００１１】
また、請求項５に係る発明は、請求項１乃至請求項４のいずれか１項に記載の検査装置において、星形結線されてなる三相のうちの第１相に設けられる第１発光ダイオードと、第１相と異なる第２相に設けられる第２発光ダイオードと、第１相及び第２相と異なる第３相に設けられる第３発光ダイオードと、を含む欠相・短絡検出回路部を有することを特徴とする。
【００１２】
また、請求項６に係る発明は、請求項５に記載の検査装置において、前記第１発光ダイオードは、第１相において、第１分流用抵抗と第１分圧用抵抗と共に接続されることを特徴とする。
【００１３】
また、請求項７に係る発明は、請求項５又は請求項６に記載の検査装置において、前記第２発光ダイオードは、第２相において、第２分流用抵抗と第２分圧用抵抗と共に接続されることを特徴とする。
【００１４】
また、請求項８に係る発明は、請求項５乃至請求項７のいずれか１項に記載の検査装置において、前記第３発光ダイオードは、第３相において、第３分流用抵抗と第３分圧用抵抗と共に接続されることを特徴とする。
【００１５】
また、請求項９に係る発明は、請求項５乃至請求項８のいずれか１項に記載の検査装置において、電気設備からの出力を前記相順検出回路部に接続するか、前記欠相・短絡検出回路部に接続するかを切り換えるスイッチを有することを特徴とする。
【００１６】
また、請求項１０に係る発明は、単相交流が入力され、受動素子のみからなり、電気設備の三相の高圧側端子のそれぞれに印加される低圧の三相交流を出力し、請求項１乃至請求項９のいずれか１項に記載の検査装置と共に用いられる電源変換装置である。
【００１７】
また、請求項１１に係る発明は、請求項１０に記載の電源変換装置において、前記単相交流としては、商用の１００Ｖが用いられることを特徴とする。
【００１８】
また、請求項１２に係る発明は、請求項１０に記載の電源変換装置において、前記単相交流としては、可搬形発電機の１００Ｖ出力が用いられることを特徴とする。
【発明の効果】
【００１９】
本発明の検査装置は、相順が正しい時に発光する正順時点灯発光ダイオードと、相順が逆転している時に発光する逆順時点灯発光ダイオードと、を用いるものであり、このような本発明の検査装置によれば、アラゴの円盤などのハードウエアを用いる構成に比べ、簡便に構成することができ、コストを抑制することが可能となる。
【００２０】
また、本発明の検査装置と共に用いる本発明の電源変換装置は、検査装置における正順時点灯発光ダイオードや逆順時点灯発光ダイオードを的確に点灯、消灯させるための試験用の電力を電気設備に供給することができる。
【図面の簡単な説明】
【００２１】
【図１】本発明の実施形態に係る検査装置３００の検査対象である電気設備１００の模式図である。
【図２】本発明の実施形態に係る検査装置３００の相順検出回路部３２０が利用する原理を説明する図である。
【図３】本発明の実施形態に係る検査装置３００の回路図である。
【図４】本発明の実施形態に係る検査装置３００と共に用いられる電源変換装置２００の回路図である。
【図５】本発明の実施形態に係る電源変換装置２００及び検査装置３００による検査時の結線を示す図である。
【図６】相順検出回路部３２０における発光ダイオードの点灯状況と検出結果との関係を示すテーブルである。
【図７】欠相・短絡検出回路部３５０における発光ダイオードの点灯状況と検出結果との関係を示すテーブルである。
【発明を実施するための形態】
【００２２】
以下、本発明の実施の形態を図面を参照しつつ説明する。まず、検査対象である電気設備１００の概略について説明する。図１は本発明の実施形態に係る検査装置３００の検査対象である電気設備１００の模式図である。図１に示すように、ビルディングなどの電気設備１００には、受電した６６００Ｖの高圧の三相交流を、２１０Ｖの低圧三相交流に変換するトランス１１０などが含まれている。
【００２３】
図１（Ａ）は、電気設備１００における配線が正しく、高圧側におけるＲ相、Ｓ相、Ｔ相が、それぞれ低圧側でＲ相、Ｓ相、Ｔ相に対応するようにして的確に配線されている例を示している。このような場合は、検査装置３００では、電気設備１００の配線が「正順」であることを検出する。
【００２４】
一方、図１（Ｂ）は、電気設備１００において、高圧側でＲ相とＳ相とが逆に配線されている例を示している。このような場合、検査装置３００では、電気設備１００の配線が「逆順」であることを検出する。なお、本実施形態では、高圧側でＲ相とＳ相とが逆に配線されている場合を例としているが、配線が取り違えられ、逆順が検出される例はこれに限らない。
【００２５】
上記のような、配線が「正順」、「逆順」であるかを検出するのは、検査装置３００における相順検出回路部３２０が担っている。一方、検査装置３００は、上記のような配線が「正順」、「逆順」であるかを検出する機能以外に、ある相の配線が切れている状態（欠相状態）を検出する機能及び相同士が短絡されている状態（短絡状態）を検出する機能を有している。これらの検出機能は、検査装置３００の欠相・短絡検出回路部３５０が担っている。
【００２６】
ここで、検査装置３００における相順検出回路部３２０が利用する原理を説明する。図２は本発明の実施形態に係る検査装置３００の相順検出回路部３２０が利用する原理を説明する図である。
【００２７】
図２（Ａ）は相順検出のための回路図を示している。電気設備１００の低圧側のＲ相、Ｓ相、Ｔ相を、それぞれ図２（Ａ）の回路図の端子ＴＲa、ＴＲb、ＴＲcに接続する。そ
の上で、電気設備１００に対し通電を行うと、電気設備１００の配線が正順であるか、逆順であるかに応じて、ランプ１及びランプ２の点灯状態は図２（Ｂ）のテーブルに示すとおりとなる。
【００２８】
すなわち、電気設備１００の配線が正順である場合には、ランプ１は明るく点灯し、ラ
ンプ２は暗く点灯する。逆に、電気設備１００の配線が逆順である場合には、ランプ１は暗く点灯し、ランプ２は明るく点灯する。これにより、電気設備１００の配線の正順・逆順を検出することが可能となる。
【００２９】
ランプ１、ランプ２の点灯の明暗によって、電気設備１００の配線の正順・逆順を検出する方法では、それぞれのランプの明暗を明確に把握しにくい、という問題がある。そこで、本実施形態に係る検査装置３００の相順検出回路部３２０では、ランプの代わりに発光ダイオードを用いるようにしている。発光ダイオードを発光させる閾値となる電圧値があるため、相順検出回路部３２０でランプの代わりに発光ダイオードを用いると、明暗ではなく、発光ダイオードの「点灯」、「消灯」によって、電気設備１００の配線の正順・逆順を検出することができる。
【００３０】
図３は本発明の実施形態に係る検査装置３００の回路図である。回路図において、端子ＴＲ1乃至ＴＲ3は、検査を行う電気設備１００のＲ相、Ｓ相、Ｔ相のそれぞれの低圧側端子に接続することが想定されている。
【００３１】
スイッチ３１０は、（１）ＳＷ11乃至ＳＷ13をオンすると同時にＳＷ21乃至ＳＷ23をオフとする、（２）ＳＷ11乃至ＳＷ13をオフすると同時にＳＷ21乃至ＳＷ23をオンとする、の切換を行うことができるようになっている。これにより、端子ＴＲ1乃至ＴＲ3からの入力を、スイッチ３１０の切換によって、相順検出回路部３２０又は、欠相・短絡検出回路部３５０のいずれかに接続することができるようになっている。
【００３２】
相順検出回路部３２０は、中性点Ｎ1を中心として、星形結線されてなる三相のうちの
Ｒ相には、相順が正しい時に発光する正順時点灯発光ダイオード３２１が、また、前記星形結線されてなる三相のうちのＳ相には、相順が逆転している時に発光する逆順時点灯発光ダイオード３２２が配されている。また、前記星形結線されてなる三相のうちのＴ相にはコンデンサが設けられている。なお、このコンデンサに代えて、コイルを設けることにより、本発明を実施することは不可能ではないが、素子の定数の精度などから、Ｔ相にはコンデンサを用いることが好ましい。
【００３３】
Ｒ相において、正順時点灯発光ダイオード３２１は、正順部分流用抵抗Ｒbと正順部分
圧用抵抗Ｒaと共に接続される。より具体的には、正順時点灯発光ダイオード３２１と正
順部分圧用抵抗Ｒaとの直列接続が、正順部分流用抵抗Ｒbと並列接続されることで、Ｒ相に設けられている。
【００３４】
また、Ｓ相において、逆順時点灯発光ダイオード３２２は、逆順部分流用抵抗Ｒbと逆
順部分圧用抵抗Ｒaと共に接続される。より具体的には、逆順時点灯発光ダイオード３２
２と逆順部分圧用抵抗Ｒaとの直列接続が、逆順部分流用抵抗Ｒbと並列接続されることで、Ｓ相に設けられている。
【００３５】
正順時点灯発光ダイオード３２１と逆順時点灯発光ダイオード３２２として、同一の素子を用いる場合には、正順部分流用抵抗Ｒbと逆順部分流用抵抗Ｒbとは同一の抵抗値をとり、正順部分圧用抵抗Ｒaと逆順部分圧用抵抗Ｒaとは同一の抵抗値をとる。
【００３６】
上記のようにＲ相、Ｓ相で、分流用抵抗、分圧用抵抗を用いているが、本実施形態では、検相時において、分圧用抵抗により発光ダイオードに印加される電圧が適切なものとなるようにし、発光ダイオードに流れる電流が許容値を超えないようにしている。
【００３７】
また、発光ダイオードは点灯、消灯によりその内部抵抗が変わるが、原理図（図２）に倣い、発光ダイオードの点灯、消灯に無関係に、その相の抵抗を一定値に近づけるため、
分流用抵抗を設けている。これにより、相順検出回路部３２０へ入力される電圧の正、負の変化にも対応できている。
【００３８】
なお、特許請求の範囲では「Ｒ相」、「Ｓ相」、「Ｔ相」を、「第１相」、「第２相」、「第３相」と表現している。
【００３９】
また、欠相・短絡検出回路部３５０は、中性点Ｎ2を中心として、星形結線されてなる
三相のうちのＲ相に第１発光ダイオード３５１が設けられ、Ｓ相に第２発光ダイオード３５２が設けられ、Ｔ相に第３発光ダイオード３５３が設けられている。
【００４０】
第１発光ダイオード３５１は、Ｒ相において、第１分流用抵抗Ｒdと第１分圧用抵抗Ｒcと共に接続される。より具体的には、第１発光ダイオード３５１と第１分圧用抵抗Ｒcと
の直列接続が、第１分流用抵抗Ｒdと並列接続されることで、Ｒ相に設けられている。
【００４１】
また、第２発光ダイオード３５２は、Ｓ相において、第２分流用抵抗Ｒdと第２分圧用
抵抗Ｒcと共に接続される。より具体的には、第２発光ダイオード３５２と第２分圧用抵
抗Ｒcとの直列接続が、第２分流用抵抗Ｒdと並列接続されることで、Ｓ相に設けられている。
【００４２】
また、第３発光ダイオード３５３は、Ｔ相において、第３分流用抵抗Ｒdと第３分圧用
抵抗Ｒcと共に接続される。より具体的には、第３発光ダイオード３５３と第３分圧用抵
抗Ｒcとの直列接続が、第３分流用抵抗Ｒdと並列接続されることで、Ｔ相に設けられている。
【００４３】
第１発光ダイオード３５１、第２発光ダイオード３５２、第３発光ダイオード３５３として同一の素子を用いる場合には、第１分流用抵抗Ｒdと第２分流用抵抗Ｒdと第３分流用抵抗Ｒdとは同一の抵抗値をとり、第１分圧用抵抗Ｒcと第２分圧用抵抗Ｒcと第３分圧用
抵抗Ｒcとは同一の抵抗値をとる。
【００４４】
上記のような各相で、分流用抵抗、分圧用抵抗を用いているが、本実施形態では、欠相・短絡検出時において、分圧用抵抗により発光ダイオードに印加される電圧が適切なものとなるようにし、発光ダイオードに流れる電流が許容値を越えないようにしている。
【００４５】
また、欠相・短絡が検出されない場合には、欠相・短絡検出回路部３５０へ入力される電圧の正、負の変化に対応するため、分流用抵抗を設けている。
【００４６】
さらに、欠相・短絡がおきている場合には、分流用抵抗が発光ダイオードに電圧を印加するための役割を担い、点灯すべき発光ダイオードを点灯させるようにしている。
【００４７】
ところで、上記のように発光ダイオードを用いた本発明に係る検査装置３００の相順検出回路部３２０は、電気設備１００の高圧側に印加する低圧の三相交流をインバーターで発生させると、発光ダイオードの点灯・消灯が的確に行い得ないことが、発明者の開発過程で判明した。これは、インバーターで発生させた低圧の三相交流が、擬似的なサイン波の交流であることに起因する。
【００４８】
そこで、本発明に係る検査装置３００と共に用いられ、検査時、電気設備１００の三相の高圧側端子に低圧の三相交流を印加する電源変換装置２００には、インバーターを用いないものとしている。
【００４９】
図４は本発明の実施形態に係る検査装置３００と共に用いられる電源変換装置２００の
回路図である。図４において、端子ＴＲin1及びＴＲin2には、単相の１００Ｖ電源が接続される。図に示す回路によって、端子ＴＲin1及びＴＲin2に入力された単相交流は三相交流に変換がなされ、端子ＴＲout1乃至ＴＲout3に出力される。端子ＴＲout1乃至ＴＲout3は、検査時にそれぞれ電気設備１００の三相の高圧側端子に接続されることが想定される。
【００５０】
なお、端子ＴＲin1及びＴＲin2に接続する単相の１００Ｖ電源としては、可搬形発電機を用いることもできるし、商業電源を用いることもできる。
【００５１】
電源変換装置２００を構成する単相−三相変換回路は、受動素子である抵抗とコンデンサのみを用いて三相交流電圧を出力する回路である。コンデンサＣ1の値を適切に選び、
三相交流電圧を出力するための制約条件に従って、抵抗Ｒ1及び抵抗Ｒ2が選定される。これにより位相差が１２０°で、入力電源が単相１００Ｖの場合には、８６．６Ｖの三相交流電圧が出力される。また、抵抗Ｒ3は、入力電源をＯＦＦとするときに、電源変換装置
２００に蓄積されている電荷を放電するための放電抵抗である。
【００５２】
以上のような本発明に係る電源変換装置２００及び検査装置３００を用いての電気設備１００の検査について説明する。図５は本発明の実施形態に係る電源変換装置２００及び検査装置３００による検査時の結線を示す図である。
【００５３】
図に示すように、電源変換装置２００の端子ＴＲout1乃至ＴＲout3は、それぞれ電気設備１００の、Ｒ相、Ｓ相、Ｔ相の高圧側端子に接続すると共に、検査装置３００の端子ＴＲ1乃至ＴＲ3は、それぞれ電気設備１００の、Ｒ相、Ｓ相、Ｔ相の低圧側端子に接続する。
【００５４】
電気設備１００の相順を検出する場合は、スイッチ３１０で、端子ＴＲ1乃至ＴＲ3からの入力を検査装置３００の相順検出回路部３２０に接続する。
【００５５】
図６は相順検出回路部３２０における発光ダイオードの点灯状況と検出結果との関係を示すテーブルである。当該テーブルに示すように、相順検出回路部３２０の正順時点灯発光ダイオード３２１が点灯し、逆順時点灯発光ダイオード３２２が消灯していれば、電気設備１００の相順が正しく、相順検出回路部３２０の正順時点灯発光ダイオード３２１が消灯し、逆順時点灯発光ダイオード３２２が点灯していれば、電気設備１００の相順が逆順であることが確認できる。
【００５６】
電気設備１００の欠相・短絡を検出する場合は、スイッチ３１０で、端子ＴＲ1乃至Ｔ
Ｒ3からの入力を検査装置３００の欠相・短絡検出回路部３５０に接続する。
【００５７】
図７は欠相・短絡検出回路部３５０における発光ダイオードの点灯状況と検出結果との関係を示すテーブルである。
【００５８】
第１発光ダイオード３５１、第２発光ダイオード３５２、第３発光ダイオード３５３の全ての発光ダイオードが点灯していれば、検査対象の電気設備１００の欠相・短絡が共にないことが検出される。
【００５９】
一方、第１発光ダイオード３５１、第２発光ダイオード３５２、第３発光ダイオード３５３のうち１つが消灯し、２つが点灯している場合には、消灯している発光ダイオードが接続されている相が欠相していることが検出される。
【００６０】
また、第１発光ダイオード３５１、第２発光ダイオード３５２、第３発光ダイオード３
５３のうち１つのみが点灯し、２つが消灯している場合には、消灯している２つの発光ダイオードが接続されている相間で短絡が起こっていることが検出される。
【００６１】
また、第１発光ダイオード３５１、第２発光ダイオード３５２、第３発光ダイオード３５３のすべてが消灯している場合には、二相又は三相で欠相しているか、三相全てが短絡しているかのいずれかであることがわかる。
【００６２】
以上のように、本発明の検査装置３００は、相順が正しい時に発光する正順時点灯発光ダイオード３２１と、相順が逆転している時に発光する逆順時点灯発光ダイオード３２２と、を用いるものであり、このような本発明の検査装置３００によれば、アラゴの円盤などのハードウエアを用いる構成に比べ、簡便に構成することができ、コストを抑制することが可能となる。
【００６３】
また、本発明の検査装置３００と共に用いる本発明の電源変換装置２００は、検査装置３００における正順時点灯発光ダイオードや逆順時点灯発光ダイオードを的確に点灯、消灯させるための試験用の電力を電気設備１００に供給することができる。
【符号の説明】
【００６４】
１００・・・電気設備
１１０・・・トランス
２００・・・電源変換装置
３００・・・検査装置
３１０・・・スイッチ
３２０・・・相順検出回路部
３２１・・・正順時点灯発光ダイオード
３２２・・・逆順時点灯発光ダイオード
３５０・・・欠相・短絡検出回路部
３５１・・・第１発光ダイオード
３５２・・・第２発光ダイオード
３５３・・・第３発光ダイオード
【図１】
2015021893.tif 000003
【図２】
2015021893.tif 000004
【図３】
2015021893.tif 000005
【図４】
2015021893.tif 000006
【図５】
2015021893.tif 000007
【図６】
2015021893.tif 000008
【図７】
2015021893.tif 000009